(57)【要約】      （修正有）【課題】貴金属、宝石類を装着した場合に、外れ難く、且つ外観品質が高い装飾品装着具を提供する。【解決手段】眼鏡フレームのテンプル部に貴金属、宝石類の装飾品を装着しうる装飾品装着具であって、装飾品を取り付け可能な装飾品取り付け部１１と、該装飾品取り付け部を上記テンプル部に固定しうる固定部１２と、上記装飾品取り付け部と上記固定部とを接続する接続部１３とからなり、上記接続部は筒状に形成され、上記固定部は、ゴム材からなるリング部材１４を上記接続部に貫装し、上記リング部材の径方向両端部を上記接続部の両端部から夫々所定寸法引き出すことより、上記接続部の両端に配置され、上記テンプル部に挿通固定しうる環状部１４ａ，１４ｂにより形成された構成とする。【選択図】図１
0003168526.tif 000002
【実用新案登録請求の範囲】
【請求項１】
眼鏡フレームのテンプル部に貴金属、宝石類の装飾品を装着しうる装飾品装着具であって、
装飾品を取り付け可能な装飾品取り付け部と、上記装飾品取り付け部を上記テンプル部に固定しうる固定部と、上記装飾品取り付け部と上記固定部とを接続する接続部とからなり、
上記接続部は筒状に形成され、
上記固定部は、ゴム材からなるリング部材を上記接続部に貫装し、上記リング部材の径方向両端部を上記接続部の両端部から夫々所定寸法引き出すことより、上記接続部の両端に配置され、上記テンプル部に挿通固定しうる環状部により形成されていることを特徴とする装飾品装着具。
【請求項２】
上記環状部は、収縮時において、夫々上記テンプル部の幅寸法よりも、小さな形寸法となるように形成されていることを特徴とする請求項１に、上記載の装飾品装着具。
【請求項３】
上記装飾品取り付け部は所定の剛性を有する素材からなると共に、リング状に形成され、上記接続部に貫装されることによって、上記固定部と接続されていることを特徴とする請求項１または請求項２に記載の装飾品装着具。
【請求項４】
上記接続部の外側面部には、所定の装飾が施されていることを特徴とする請求項１から請求項３いずれか１項に記載の装飾品装着具。
【考案の詳細な説明】
【技術分野】
【０００１】
本考案は、眼鏡フレームのテンプル部分に装飾品を装着するための、装飾品装着具に関する。
【背景技術】
【０００２】
近年眼鏡のデザインも多用化しているが、少なくとも、一対のレンズと、上記レンズを固定するとともに両耳に掛けるテンプル部を備えたフレーム部とから形成されている。
このため、フレーム部を特異な外観形状をとした場合には、眼鏡としての機能を損なう虞もあることから、結果として、全体的な外観形状が類似したデザインとなることが多い。
【０００３】
また、眼鏡の装飾する方法としては、フレーム部やレンズ等の形状を変更する他、フレーム部のカラーの変更、若しくはフレーム部に所定の装飾を印刷する等の方法があるが、何れについても視覚的インパクトに欠け、また、デザインに飽きた場合であっても、容易に変更することができないという不具合を有していた。
【０００４】
図３（ａ）は、装飾品として、眼鏡７０を外した場合に、図３（ｃ）に示すように、ネックレスのように首部７９に掛けることが可能なチェーン部材７２を、接続具７３を介して、眼鏡７０のテンプル部７１に装着した場合の例を示している。
図３に示すような形態は、従来から知られており、図３（ｂ）に示すように、上記接続具７３は、筒状に形成された金属製の接続部材７４と、上記接続部材７４に挿通しうるゴム材からなるリング部材７５とから形成されている。
眼鏡７０のテンプル部７１に装着する場合には、上記リング部材７５の径方向一端部を、上記接続部材７４の一端部から引き出して小径の環状部７６を形成して、上記リング７６を、眼鏡７０のテンプル部７１に挿通した後に、上記リング部材７５の他端部７８を、上記接続部材７４の他端部から引っ張ることによって、上記環状部７６を締め付けて、上記接続具７３を、上記眼鏡７０のテンプル部７１に固定する。
また、上記チェーン部材７２は、上記リング部材７５の他端部７８に接続用金属リング７７を介して取り付けられている。
【０００５】
図３（ｂ）のように、引き出された上記リング部材７５の他端部７８には、捻れ等の変形が生じ易い。
従って、上記接続具７３に、チェーン部材７２の代わりに、貴金属、若しくは宝石類を上記リング部材７５の他端部７８に取り付けた場合には、上記貴金属等が、左右でずれる、若しくは曲がった状態で配置されてしまう虞があることから、貴金属類を装着した場合に、外観品質が悪くなるという不具合を有していた。
また、上記環状部７６一本のみで、テンプル部７１に固定されているため、上記環状部７６が緩むことによって、上記接続具７３が外れ易くなるという不具合をも有していた。
【考案の開示】
【考案が解決しようとする課題】
【０００６】
本考案の課題は、貴金属、宝石類を装着した場合に、外れ難く、且つ外観品質が高い装飾品装着具を提供することにある。
【課題を解決するための手段】
【０００７】
上記課題を解決するために、請求項１の考案に係る装飾品装着具は、眼鏡フレームのテンプル部に貴金属、宝石類の装飾品を装着しうる装飾品装着具であって、装飾品を取り付け可能な装飾品取り付け部と、上記装飾品取り付け部を上記テンプル部に固定しうる固定部と、上記装飾品取り付け部と上記固定部とを接続する接続部とからなり、上記接続部は筒状に形成され、上記固定部は、ゴム材からなるリング部材を上記接続部に貫装し、上記リング部材の径方向両端部を上記接続部の両端部から夫々所定寸法引き出すことより上記接続部の両端に配置され、上記テンプル部に挿通固定しうる環状部により形成されていることを特徴とする。
【０００８】
従って、上記装飾品装着具は、上記接続部の両端に形成された一対の環状部によって、眼鏡のテンプル部の２箇所において挿通固定される。
また、夫々の環状部は一本のリング部材から形成されているため、互いに引き合い、テンプル部に装着した場合に緩みが生じ難い。
【０００９】
また、請求項２に記載した考案に係る装飾品装着具は、上記環状部は、収縮時において、夫々上記テンプル部の幅寸法よりも、小さな径寸法となるように形成されていることを特徴とする。
【００１０】
従って、上記環状部を上記テンプル部に挿通固定し場合に、上記環状部の収縮力によって、上記テンプル部を締め付けるため、より強固に固定される。
【００１１】
また、請求項３に記載した考案に係る装飾品装着具は、上記装飾品取り付け部は所定の剛性を有する素材からなると共に、リング状に形成され、上記接続部に貫装されることによって、上記固定部と接続されていることを特徴とする。
【００１２】
従って、上記装飾品装着具を介して、任意の装飾品を取り付けることができる。
【００１３】
また、請求項４に記載した考案に係る装飾品装着具は、上記接続部の外側面部には、所定の装飾が施されていることを特徴とする。
【考案の効果】
【００１４】
請求項１の考案にあっては、眼鏡フレームのテンプル部に貴金属、宝石類の装飾品を装着しうる装飾品装着具であって、装飾品を取り付け可能な装飾品取り付け部と、上記装飾品取り付け部を上記テンプル部に固定しうる固定部と、上記装飾品取り付け部と上記固定部とを接続する接続部とからなり、上記接続部は筒状に形成され、上記固定部は、ゴム材からなるリング部材を上記接続部に貫装し、上記リング部材の径方向両端部を上記接続部の両端部から夫々所定寸法引き出すことより上記接続部の両端に配置され、上記テンプル部に挿通固定しうる環状部により形成されていることから、上記接続部の両端部に形成された一対の環状部によって、眼鏡のテンプル部の２箇所において固定される。
また、夫々の環状部は一本のリング部材から形成され、互いに引き合うことから、テンプル部に装着した場合に緩み難く、上記装飾品装着具が、より外れ難い。
また、装飾品は環状部にではなく、装飾品取り付け部を介して装着されるため、装飾品が曲がった状態で配置されてしまうことがない。
従って、貴金属、宝石類を装着した場合に、外れ難く、且つ外観品質が高い装飾品装着具を提供することができる。
【００１５】
また、請求項２の考案にあっては、上記装飾品装着具は、上記環状部は、収縮時において、夫々上記テンプル部の幅寸法よりも、小さな径寸法となるように形成されていることから、上記環状部に上記テンプル部を貫装した場合に、上記環状部の収縮力によって、上記テンプル部を締め付けるため、より強固に固定され、上記装飾品装着具が、更に外れ難くなる。
【００１６】
また、請求項３の考案にあっては、上記装飾品取り付け部は所定の剛性を有する素材からなると共に、リング状に形成され、上記接続部に貫装されることによって、上記固定部と接続されていることから、装飾品を取り付け易いと共に、装飾品が曲がった状態で配置され難い。
従って、装飾品を装着した状態における外観品質が、より向上する。
【００１７】
また、請求項４の考案にあっては、上記接続部の外側面部には、所定の装飾が施されていることから、装飾品を装着した状態における外観品質が、更に向上する。
【図面の簡単な説明】
【００１８】
【図１】本考案の一実施の形態を示し、実施の形態に係る（ａ）は装飾品装着具の全体正面図、（ｂ）はテンプル部に固定した場合の正面図である。
【図２】本考案の一実施の形態を示し、実施の形態に係る装飾品装着具を眼鏡両側のテンプル部に装着した状態を示す斜視図である。
【図３】従来の装飾品の取り付け形態を示し、（ａ）は装飾品であるチェーン部材を眼鏡に取り付けた状態の斜視図、（ｂ）は接続具の拡大図、（ｃ）は、チェーン部材を首にかけた状態を示す概念図を夫々示している。
【考案を実施するための最良の形態】
【００１９】
以下、添付図面を用いて、本考案の実施の形態について説明する。
図１に示すように、本実施例に係る装飾品装着具１０は、装飾品を取り付け可能な装飾品取り付け部１１と、上記装飾品取り付け部１１を眼鏡２０のテンプル部２１に固定しうる固定部１２と、上記装飾品取り付け部１１と上記固定部１２とを接続する接続部１３とから形成されている。
また、上記固定部１２は、ゴム材からなる一対の環状部１４ａ、１４ｂから形成されている。
【００２０】
また、上記接続部１３は円筒形の金属製筒体であり、上記環状部１４ａ、１４ｂは、一本のリング部材１４を上記接続部１３内に貫装し、上記リング部材１４の径方向両端部を上記接続部１３の両端部から夫々所定寸法引き出すことより形成されている。
【００２１】
また、上記環状部１４ａ、１４ｂは、収縮時において、夫々上記テンプル部２１の幅寸法よりも、小さな径寸法となるように形成されている。
【００２２】
また、上記装飾品取り付け部１１は金属製であり、リング状に形成され、上記接続部１３に貫装されることによって、上記固定部１２と接続されている。
【００２３】
また、上記接続部１３の外周面部には、所定の装飾１５が施されている。
【実施例】
【００２４】
以下、上記形態の実施例の構成について、添付図面を用いて詳述する。
図１は、本実施例に係る装飾品装着具１０の（ａ）は装飾品装着具の全体正面図、（ｂ）は装飾品装着具１０を眼鏡２０のテンプル部２１に固定した場合の正面図を夫々示している。
【００２５】
図１（ａ）に示すように、固定部１２のリング部材１４は、所定の伸縮性を有していれば、天然ゴムの他、二トリルゴムウレタンゴム、シリコンゴム等の合成ゴムから適宜選択することができる。
また、接続部１３の素材は、貴金属の他、ステンレス、真鍮等、任意の金属を選択することが可能である
更に、金属アレルギーを有する装着者に対応するため、人体への親和性が高いチタン、若しくは合成樹脂で形成することもできる。
また、装飾品取り付け部１１の素材についても、貴金属の他、ステンレス、真鍮等任意の金属を選択することが可能であり、更に、金属アレルギーを有する装着者に対応するため、、人体への親和性が高いチタン、若しくは合成樹脂で形成することもできる。
【００２６】
本実施例にあっては、装飾品と取り付ける眼鏡２０は、一対のレンズ部２２、２２と、上記レンズ部２２、２２、を接続する共に、耳に装着するテンプル部２１を備えたフレーム部２３とから形成され、装飾品装着具１０は、上記テンプル部２１の先端部の近傍、即ち、眼鏡２０を装着した場合に、両耳の前方側に装飾品が配置されるように、装着されている。
【００２７】
なお、図１及び図２には図示していないが、貴金属、若しくは宝石等の装飾品は、上記装飾品取り付け部１１にチェーン等を介して装着することができる。
また、上記装飾品取り付け部１１自体を貴金属で形成した場合には、上記装飾品取り付け部１１が装飾品としても機能する。
【００２８】
本実施例の作用について添付図面を用いて説明する。
図１（ｂ）に示すように、固定部１２は、環状部１４ａ、１４ｂによって、テンプル部２１の２箇所で固定され、且つ環状部１４ａ、１４ｂの収縮力によって、テンプル部２１を締め付けるため、眼鏡２０を繰り返し着脱した場合であっても、装飾品装着具１０の固定位置がずれ難い。
【００２９】
また、貴金属、若しくは宝石等の装飾品は、上記装飾品取り付け部１１を介して取り付けられるため、取り付ける装飾品は適宜自由に選択することができる。
【００３０】
また、上記装飾品取り付け部１１は金属製、若しくは合成樹脂製であるため、歪みや撓みが生じ難い。
従って、左右のテンプル部２１に装飾品を取り付けた場合に、装飾品の位置や角度にズレ、歪み等が生じることが無いことから、外観品質が非常に良好となる。
【００３１】
また、上記接続部１３の外周面部に任意の装飾を施すことができるため、より多彩なデザインを選択することができる。
【００３２】
なお、本実施例にあっては、環状部は一本のリング部材から形成されているが、複数のリング部材の径方向一端部を夫々上記接続部の両端部に固定することによっても、本実施例と同様の外観及び機能を発揮することができる。
また、接続部の形状についても、円筒形に限定されることは無く、角筒形であっても良い。
なお、環状部の大きさについては、装着する眼鏡のテンプル部の形状、太さ等によって適宜調整することができる。
【産業上の利用可能性】
【００３３】
本考案は、眼鏡のテンプル部分に装飾品を装着するための、装飾品装着具に適用可能である。
【符号の説明】
【００３４】
１０  装飾品装着具
１１  装飾品取り付け部
１２  固定部
１３  接続部
１４  リング部材
１４ａ環状部
１４ｂ環状部
１５  装飾
２０  眼鏡
２１  テンプル部
２２  レンズ部
２３  フレーム部
７０  眼鏡
７１  テンプル部
７２  チェーン部材
７３  接続具
７４  接続部材
７５  リング部材
７６  環状部
７７  環状部
７８  リング部材の他端部
７９  首部
【図１】
0003168526.tif 000003
【図２】
0003168526.tif 000004
【図３】
0003168526.tif 000005